(57)【要約】【課題】高温時でも係合構造を維持するとともに、薄肉化された二重容器を提供する。【解決手段】  内容器フランジ部２３は外容器水平段部１４上に係止されるとともに、内容器フランジ部２３遠方端は外容器胴部大径部１６に嵌合される。内容器胴部大径部２６は外容器胴部小径部１５に嵌合される。これにより、上部係合構造４０が形成される。環状部材５１は、外容器１開口部に嵌合される。これにより、環状部材５１の底面は内容器フランジ部２３を押圧し、環状部材５１の外周面は外容器胴部大径部１６内側を押圧する。このように、環状部材５１は、上部係合構造４０を固定する。【選択図】図１
2019077458.tif 000002
【特許請求の範囲】
【請求項１】
外容器と、前記外容器に内挿される内容器とからなり、断熱空間が形成される二重容器であって、
前記外容器上部に設けられた外容器係合部に前記内容器上部に設けられた内容器係合部を係合させる上部係合構造と、
前記上部係合構造を固定する補強部材と
を備える
ことを特徴とする二重容器。
【請求項２】
前記補強部材は、環状である
ことを特徴とする請求項１記載の二重容器。
【請求項３】
前記外容器係合部は、外容器内壁に段状に設けられ、
前記内容器係合部は、内容器フランジに設けられ、
前記補強部材は、前記外容器開口部に嵌合されることにより、前記上部係合構造を固定する
ことを特徴とする請求項１または２記載の二重容器。
【請求項４】
前記外容器係合部は、外容器フランジに設けられ、
前記内容器係合部は、内容器フランジに設けられ、
前記補強部材は、前記上部係合構造を挟み込むことにより、前記上部係合構造を固定する
ことを特徴とする請求項１または２記載の二重容器。
【発明の詳細な説明】
【技術分野】
【０００１】
本発明は、外容器と内容器とからなり、断熱空間が形成される二重容器に関する。
【背景技術】
【０００２】
容器には熱い飲料や冷たい飲料が入れられることがある。
【０００３】
熱い飲料は高温が維持されることが好ましい。冷たい飲料は低温が維持されることが好ましい。また、熱い飲料が入った容器を持った時、熱くて不快感を覚えるおそれもある。また、冷たい飲料が入った容器を持った時、冷たくて不快感を覚えるおそれもある。
【０００４】
内容物の保温および持ち手への熱伝達抑制の観点から、断熱空間が形成された二重容器が用いられている。
【０００５】
樹脂製の外容器に樹脂製の内容器を積み重ねた二重容器が一般的である（例えば特許文献１）。
【先行技術文献】
【特許文献】
【０００６】
【特許文献１】特許４６１２３１３号公報
【発明の概要】
【発明が解決しようとする課題】
【０００７】
外容器に内容器を積み重ねる場合、内容器が外容器内でぐらつかない様な接合構造が重要となる。特許文献１では、外容器の断面カール状のフランジに内容器の断面半円状のフランジを嵌め合わせる例と、外容器の直立した胴部上端に内容器のフランジを掛止させる例とが開示されている。
【０００８】
２つの例とも、接合箇所から飲料の侵入がないように、内容器のフランジが外側になり、接合箇所を覆うように構成されている。
【０００９】
ところで、高温の飲料が入った樹脂製容器は、熱により軟化しやすい。その結果、接合が緩むおそれがある。これを避けるため、外容器、内容器ともに、接合箇所を厚肉とし、剛性を高める必要が有る。
【００１０】
しかしながら、シート又はフィルムを圧空／真空成形で容器を作った場合、接合箇所のみを厚肉とすることは難しく、全体が厚肉となる。その結果、多くの材料を要し、高コストとなる。
【００１１】
本発明は、上記課題を解決するものであり、高温時でも係合構造を維持するとともに、薄肉化された二重容器を提供することを目的とする。
【課題を解決するための手段】
【００１２】
上記の目的を達成するために、本発明の二重容器は、外容器と、前記外容器に内挿される内容器とからなり、断熱空間が形成される。前記外容器上部に設けられた外容器係合部に前記内容器上部に設けられた内容器係合部を係合させる上部係合構造と、前記上部係合構造を固定する補強部材とを備える。
【００１３】
これにより、高温時でも確実に上部係合構造を維持できる。その結果、外容器および内容器とも厚肉とする必要がなく、薄肉にできる。
【００１４】
上記発明において好ましくは、前記補強部材は、環状である。
【００１５】
これにより、確実に上部係合構造を固定する。
【００１６】
上記発明において好ましくは、前記外容器係合部は、外容器内壁に段状に設けられ、前記内容器係合部は、内容器フランジに設けられ、前記補強部材は、前記外容器開口部に嵌合されることにより、前記上部係合構造を固定する。
【００１７】
上記発明において好ましくは、前記外容器係合部は、外容器フランジに設けられ、前記内容器係合部は、内容器フランジに設けられ、前記補強部材は、前記上部係合構造を挟み込むことにより、前記上部係合構造を固定する。
【発明の効果】
【００１８】
本発明の二重容器よれば、高温時でも係合構造を維持できる。その結果、外容器、内容器ともに、係合箇所を薄肉にでき、全体とも薄肉とすることができる。
【図面の簡単な説明】
【００１９】
【図１】概略構成の分解図（第１実施形態）
【図２】概略構成の斜視図（第１実施形態）
【図３】係合構造の部分断面斜視図（第１実施形態）
【図４】概略構成の分解図（第２実施形態）
【図５】概略構成の斜視図（第２実施形態）
【図６】係合構造の断面図（第２実施形態）
【図７】係合構造の部分断面斜視図（変形例１）
【図８】概略構成の分解図（変形例２）
【図９】係合構造の断面図（変形例２）
【図１０】概略構成の分解図（変形例３）
【図１１】概略構成の分解図（変形例４）
【図１２】係合構造の断面図（変形例４）
【図１３】概略構成の分解図（変形例５）
【図１４】半透明容器係合前
【図１５】半透明容器係合後
【発明を実施するための形態】
【００２０】
〜共通構成〜
図１〜６に基づいて本発明に係る第１〜２実施形態について説明する。まず、第１〜２実施形態に係る共通構成について説明する。
【００２１】
外容器１は、底部１１と、胴部１２と、フランジ部１３とを備える。内容器２は、底部２１と、胴部２２と、フランジ部２３とを備える。
【００２２】
胴部１２，２２は概略形状として略逆円錐台形状に形成される。すなわち、フランジ部１３，２３から底部１１，２１に向かって縮径するように形成される。
【００２３】
フランジ部１３，２３は、胴部１２，２２頂部から外周略水平方向に突出されている。
【００２４】
底部１１は自立可能となるよう略平面状であることが好ましいが、底部２１は平面状でなくてもよく、たとえば、半球状でも良い。
【００２５】
内容器２は外容器１に内挿され、外容器１と内容器２との間には断熱空間３が形成される。
【００２６】
二重容器は上部係合構造４０を備える。上部係合構造４０は、外容器１上部に設けられた外容器係合部４１に内容器２上部に設けられた内容器係合部４２を係合させることにより、形成される。さらに、二重容器は補強部材５０を備える。補強部材５０は、上部係合構造４０を固定する。
【００２７】
以下、上部係合構造４０および補強部材５０の詳細構成ついて説明する。
【００２８】
〜第１実施形態構成〜
図１は第１実施形態に係る概略構成の分解図である。図２は第１実施形態に係る概略構成の斜視図である。図３は第１実施形態に係る係合構造の部分断面斜視図である。
【００２９】
まず、第１実施形態の外容器胴部１２詳細および内容器胴部２２詳細について説明する。
【００３０】
外容器胴部１２の上部において、水平段部１４が形成されている。外容器胴部に１２おいて、水平段部１４より下方にある外容器胴部小径部１５と、水平段部１４より上方にて外周方向に膨らむに外容器胴部大径部１６とが形成される。
【００３１】
外容器胴部小径部１５は、水平段部１４の近方端と連続し、外容器胴部１２の主要部を構成する。外容器胴部大径部１６下端は水平段部１４の遠方端と連続し、外容器胴部大径部１６上端はフランジ部１３の近方端と連続する。なお、遠近については中心軸を基準とする。
【００３２】
内容器胴部２２の上部において、水平段部２４が形成されている。内容器胴部に２２おいて、水平段部２４より下方にある内容器胴部小径部２５と、水平段部２４より上方にて外周方向に膨らむに内容器胴部大径部２６とが形成される。
【００３３】
内容器胴部小径部２５は、水平段部２４の近方端と連続し、内容器胴部２２の主要部を構成する。内容器胴部大径部２６下端は水平段部２４の遠方端と連続し、内容器胴部大径部２６上端はフランジ部２３の近方端と連続する。
【００３４】
第１実施形態の上部係合構造４０について説明する。
【００３５】
内容器フランジ部２３は外容器水平段部１４上に係止されるとともに、内容器フランジ部２３遠方端は外容器胴部大径部１６に嵌合される。内容器胴部大径部２６は外容器胴部小径部１５に嵌合される。
【００３６】
外容器水平段部１４と外容器胴部小径部１５と外容器胴部大径部１６は外容器係合部４１を構成する。内容器フランジ部２３および内容器胴部大径部２６は内容器係合部４２を構成する。
【００３７】
これにより、内容器係合部４２は外容器係合部４１に係合され、上部係合構造４０が形成される。
【００３８】
外容器フランジ部１３天端は内容器フランジ部２３天端より高くなる。外容器１の開口部には、内容器フランジ部２３上方と外容器胴部大径部１６内側とにより空間が形成される。
【００３９】
第１実施形態の補強部材５０について説明する。
【００４０】
補強部材５０は、内容器フランジ部２３上方と外容器胴部大径部１６内側とにより形成される空間に対応する形状および寸法を有する環状部材５１である。
【００４１】
環状部材５１は、外容器１開口部に嵌合される。たとえば、環状部材５１の外周面と外容器胴部大径部１６内周面の間に凹凸機構を有すれば(図３参照)、より確実に嵌合される。
【００４２】
これにより、環状部材５１の底面は内容器フランジ部２３を押圧し、環状部材５１の外周面は外容器胴部大径部１６内側を押圧する。これにより、環状部材５１は、上部係合構造４０を固定する。
【００４３】
環状部材５１の材質は特に限定されないが、例えば、樹脂製である。
【００４４】
〜第１実施形態効果〜
環状部材５１は、外容器１および内容器２に比べ高剛性であり、高温時の影響もほぼない。したがって、高温時でも上部係合構造４０を固定し、上部係合構造４０を維持できる。
【００４５】
環状部材５１による補強の結果、外容器１および内容器２とも厚肉とする必要がない。すなわち外容器１および内容器２とも薄肉にでき、材料量を低減し、低コストとなる。
【００４６】
上部係合構造４０が確実に固定されるため、係合箇所から飲料が侵入するおそれはない。
【００４７】
内容器２のフランジ２３が外容器１に内包され、外容器１のフランジ１３が覆われることがない。外容器１のフランジ１３のみが外側に位置する。これにより、二重容器のフランジ付近が肉厚とならない。その結果、容器のデザイン性に制約がなく（言い換えると、スタイリッシュな外観を維持できる）とともに、飲料を飲むときの唇の触感が良く、飲みやすく感じる。
【００４８】
ところで、断熱効果が必要とされない場合は、外容器１および内容器２それぞれ、独自の容器として用いることができる。
【００４９】
〜第２実施形態構成〜
図４は第２実施形態に係る概略構成の分解図である。図５は第２実施形態に係る概略構成の斜視図である。図６は第２実施形態に係る係合構造の断面図である。
【００５０】
第２実施形態の上部係合構造４０について説明する。
【００５１】
内容器フランジ部２３は外容器フランジ部１３上に係止される。
【００５２】
外容器フランジ部１３は外容器係合部４１を構成する。内容器フランジ部２３は内容器係合部４２を構成する。
【００５３】
これにより、内容器係合部４２は外容器係合部４１に係合され、上部係合構造４０が形成される。
【００５４】
第２実施形態の補強部材５０について説明する。
【００５５】
補強部材５０は、外容器フランジ部１３および内容器フランジ部２３を挟み込んで内包可能な形状および寸法を有する環状部材５２である。
【００５６】
環状部材５２は上リング５２Ａと下リング５２Ｂとから構成される。上リング５２Ａと下リング５２Ｂとが嵌合機構により上下一体となることにより環状部材５２が形成される。
【００５７】
環状部材５２形成に際し、上リング５２Ａは内容器フランジ部２３上面を押圧し、下リング５２Ｂは外容器フランジ部１３下面を押圧する。これにより、環状部材５２は、上部係合構造４０を固定する。
【００５８】
〜第２実施形態効果〜
環状部材５２は、外容器１および内容器２に比べ高剛性であり、高温時の影響もほぼない。したがって、高温時でも上部係合構造４０を固定し、上部係合構造４０を維持できる。
【００５９】
環状部材５２による補強の結果、外容器１および内容器２とも厚肉とする必要がない。すなわち外容器１および内容器２とも薄肉にでき、材料量を低減し、低コストとなる。
【００６０】
上部係合構造４０が確実に固定されるため、係合箇所から飲料が侵入するおそれはない。
【００６１】
〜変形例〜
本願発明は、上記実施形態に限定されず、上記技術思想の範囲で種々の変更が可能である。図７〜１０に基づいて本発明に係る第１〜３変形例について説明する。
【００６２】
図７は、第１変形例に係る係合構造の部分断面斜視図である。第１変形例は第１実施形態の変形である。
【００６３】
第１実施形態では内容器胴部大径部２６は外容器胴部小径部１５に嵌合されるに対し、第１変形例では、内容器胴部大径部２６下端や水平段部２４がなく、内容器胴部大径部２６と外容器胴部小径部１５との嵌合はない。
【００６４】
また、環状部材５１の外周面と外容器胴部大径部１６内周面の間の凹凸機構に加えて、環状部材５１の下面と内容器フランジ部２３上面の間の凹凸機構を有していてもよい。これにより、より確実に嵌合されるとともに、より確実に飲料の侵入を防止できる。
【００６５】
図８は、第２変形例に係る概略構成の分解図である。図９は、第２変形例に係る係合構造の断面図である。第２変形例は第２実施形態の変形である。第２実施形態の環状部材５２が上下方向から上部係合構造４０を挟み込むのに対し、第２変形例の環状部材５３は左右方向から上部係合構造４０を挟み込む。上部係合構造４０は共通である。
【００６６】
環状部材５３はハーフリング５３Ａとハーフリング５３Ｂとから構成される。ハーフリング５３Ａとハーフリング５３Ｂとが対向して一体となることにより環状部材５３が形成される。
【００６７】
ハーフリング５３Ａ，５３Ｂには、内周面にスリットが設けられている。環状部材５３形成に際し、外容器フランジ部１３および内容器フランジ部２３はスリット内に内包される。これにより、環状部材５３は、上部係合構造４０を固定する。
【００６８】
図１０は、第３変形例に係る概略構成の分解図である。第３変形例も第２実施例の変形である。第２変形例では環状部材５３を用いるのに対し、第３変形例ではＣ字部材５４を用いる。上部係合構造４０は共通である。断面図は第２変形例に類似する（図９参照）。
【００６９】
Ｃ字部材５４では環状の一部が欠損している。欠損部を有することにより、周方向に弾性を有するバネとして機能する。Ｃ字部材５４には、内周面にスリットが設けられている。
【００７０】
外容器フランジ部１３および内容器フランジ部２３がスリット内に内包されるように、Ｃ字部材５４を取り付けると、周方向に締め付けるようにバネが機能する。これにより、Ｃ字部材５４は、上部係合構造４０を固定する。
【００７１】
図１１は、第４変形例に係る概略構成の分解図である。図１２は、第４変形例に係る係合構造の断面図である。第４変形例は第１実施形態および第２実施形態の変形である。
【００７２】
第２実施形態と同様に、上部係合構造４０は内容器フランジ部２３が外容器フランジ部１３上に係止されて形成される。
【００７３】
第１実施形態と同様に、内容器胴部２２の上部において、水平段部２４が形成されている。また、第１実施形態と同様に、環状部材５１を用いる。
【００７４】
二重容器の開口部には、水平段部２４上方と内容器胴部大径部２６内側とにより空間が形成される。環状部材５１は、二重容器開口部に嵌合される。
【００７５】
これにより、環状部材５１の外周面は内容器胴部大径部２６内側を押圧するとともに、内容器胴部大径部２６を介して外容器胴部１２を押圧する。環状部材５１を介して、上部係合構造４０は固定される。
【００７６】
なお、内容器２が外容器１からすっぽ抜けるのを防止するため、内容器２および外容器１の胴部下部に、それぞれ凹凸等の嵌合構造を設けてもよい。
【００７７】
図１３は、第５変形例に係る概略構成の分解図である。第５変形例も第４変形例同様に第１実施形態および第２実施形態の変形である。第４変形例では環状部材５１を用いるのに対し、第４変形例ではＣ字部材５５を用いる。上部係合構造４０は共通である。断面図は第４変形例に類似する（図１２参照）。
【００７８】
Ｃ字部材５５では環状の一部が欠損している。欠損部を有することにより、周方向に弾性を有するバネとして機能する。
【００７９】
Ｃ字部材５５が二重容器開口部に嵌合されると、周方向に締め付けるようにバネが機能する。これにより、Ｃ字部材５５を介して、上部係合構造４０は固定される。
【００８０】
なお、内容器２が外容器１からすっぽ抜けるのを防止するため、内容器２および外容器１の胴部下部に、それぞれ凹凸等の嵌合構造を設けてもよい。
【００８１】
〜その他〜
外容器１および内容器２の材質等は特に限定されないが、例えば、透明または半透明の樹脂製であってもよい。
【００８２】
図１４は嵌合前の二重容器を示す図であり、図１５は嵌合後の二重容器を示す図である。
【００８３】
例えば、飲料提供業者のロゴやキャラクターデザインを内容器２に付してもよい。外容器１を介して視認可能とすることにより、外容器１にロゴ等を付す場合と異なる外観を演出できる。たとえば、光の加減で見え方が異なる。これにより、意匠性が向上する。
【００８４】
また、内容器２にロゴ等を付すことにより、摩擦等によりロゴが剥がれるおそれがない。これにより意匠性を維持できる。
【符号の説明】
【００８５】
１  外容器
２  内容器
３  断熱空間
１１  外容器底部
１２  外容器胴部
１３  外容器フランジ部
１４  水平段部
１５  外容器胴部小径部
１６  外容器胴部大径部
２１  内容器底部
２２  内容器胴部
２３  内容器フランジ部
２４  水平段部
２５  内容器胴部小径部
２６  内容器胴部大径部
４０  上部係合構造
４１  外容器係合部
４２  内容器係合部
５０  補強部材
５１  環状部材（第１実施形態・第１変形例）
５２  環状部材（第２実施形態例）
５３  環状部材（第２変形例）
５４  Ｃ字部材（第３変形例）
【図１】
2019077458.tif 000003
【図２】
2019077458.tif 000004
【図３】
2019077458.tif 000005
【図４】
2019077458.tif 000006
【図５】
2019077458.tif 000007
【図６】
2019077458.tif 000008
【図７】
2019077458.tif 000009
【図８】
2019077458.tif 000010
【図９】
2019077458.tif 000011
【図１０】
2019077458.tif 000012
【図１１】
2019077458.tif 000013
【図１２】
2019077458.tif 000014
【図１３】
2019077458.tif 000015
【図１４】
2019077458.tif 000016
【図１５】
2019077458.tif 000017